(57)【要約】      （修正有）【課題】ストレインリリーフを用いたハウジングに対するハーネスの固定の確実性を高める。【解決手段】コネクタは、ハーネス４１の端部に端子を接続して構成されたハーネスアッセンブリと、ハーネス４１の一端部を端子と共に収容口から収容するハウジング２と、ハーネスアッセンブリ及びハウジング２を係止してハウジング２に収容されるストレインリリーフ３とを備えている。ストレインリリーフ３は、収容口を覆うようにしてハウジング２に収容されており、ハウジング２内に延出させた定着片３３を、ハーネス４１の端部と共にハウジング２に充填されたホットメルト５でハウジング２内に埋設されている。【選択図】図５
2011014396.tif 000002
【特許請求の範囲】
【請求項１】
ハーネスの一端部に端子を接続して構成されたハーネスアッセンブリと、
前記ハーネスの前記一端部を前記端子と共に収容するハウジングと、
前記ハウジングに収容されて前記ハーネスアッセンブリを前記ハウジングに係止するストレインリリーフとを備え、
前記ストレインリリーフは、前記ハウジングを覆うようにして前記ハウジングに収容されて、前記ハウジング内に定着部材を延出させており、
前記定着部材が、前記ハウジングに充填された固化材で前記ハーネスの前記一端部と共に前記ハウジング内に埋設され、前記ハウジングと一体化されていることを特徴とするハーネスの取付構造。
【請求項２】
前記ストレインリリーフは、前記ハウジングを覆う天板と、前記天板の向かい合う縁部からそれぞれ前記ハウジングの側壁の内面に沿って延びて前記ハウジングに係止された一対の係止片と、
前記係止片の延出した両縁部間に位置する前記天板の縁部から両前記係止片との間に間隙を設けて前記ハウジングの側壁の内面に沿って平板状に延びた前記定着部材とを備えることを特徴とする請求項１に記載のハーネスの取付構造。
【請求項３】
前記ハウジングは、前記係止片から突出した係止部材を収容して、一側壁で前記係止部材を係止する係止凹部を、前記係止片の延設方向に沿って延びる前記ハウジングの側壁の内面に備えることを特徴とする請求項２に記載のハーネスの取付構造。
【請求項４】
前記係止凹部は、前記係止片の延設方向に沿って延びる前記ハウジングの側壁の内面に、前記係止片の延設方向に沿って所定幅で延びていることを特徴とする請求項３に記載のハーネスの取付構造。
【発明の詳細な説明】
【技術分野】
【０００１】
本発明は、端子に接続されたハーネスを、端子を収納したハウジングにストレインリリーフで固定するハーネスの取付構造に関する。
【背景技術】
【０００２】
ストレインリリーフを用いたハーネスの取付構造として、下記の特許文献１にはコンタクトを備えたハウジングに接続カバーで複数の導体を接続保持する電気コネクタが開示されている。この電気コネクタは、導体を接続カバーと共にストレインリリーフ部材でハウジングに固定する。ストレインリリーフ部材は、一対のラッチ肩を備えており、ハウジングに備えられた一対のラッチ突起にラッチ肩が係合することで、ハウジングにラッチ固定される。
【先行技術文献】
【特許文献】
【０００３】
【特許文献１】特開平６−８９７４８号公報
【発明の概要】
【発明が解決しようとする課題】
【０００４】
上記ハーネスの取付構造は、ラッチ突起とラッチ肩とを係合させる機械的な方法でハーネスを固定することから、ストレインリリーフとハウジングとの組付具合等によってはハーネスの確実な固定を行うのが難しかった。
【０００５】
本発明は斯かる課題に鑑みてなされたもので、上記課題を解決できるハーネスの取付構造を提供することを目的とする。
【課題を解決するための手段】
【０００６】
このような目的を達成するために、本発明のハーネスの取付構造は、ハーネスの一端部に端子を接続して構成されたハーネスアッセンブリと、前記ハーネスの前記一端部を前記端子と共に収容するハウジングと、前記ハウジングに収容されて前記ハーネスアッセンブリを前記ハウジングに係止するストレインリリーフとを備え、前記ストレインリリーフは、前記ハウジングを覆うようにして前記ハウジングに収容されて、前記ハウジング内に定着部材を延出させており、前記定着部材が、前記ハウジングに充填された固化材で前記ハーネスの前記一端部と共に前記ハウジング内に埋設され、前記ハウジングと一体化されていることを特徴とする。
また、本発明は、前記ストレインリリーフが、前記ハウジングを覆う天板と、前記天板の向かい合う縁部からそれぞれ前記ハウジングの側壁の内面に沿って延びて前記ハウジングに係止された一対の係止片と、前記係止片の延出した両縁部間に位置する前記天板の縁部から両前記係止片との間に間隙を設けて前記ハウジングの側壁の内面に沿って平板状に延びた前記定着部材とを備えることを特徴とする。
また、本発明は、前記ハウジングが、前記係止片から突出した係止部材を収容して、一側壁で前記係止部材を係止する係止凹部を、前記係止片の延設方向に沿って延びる前記ハウジングの側壁の内面に備えることを特徴とする。
また、本発明は、前記係止凹部が、前記係止片の延設方向に沿って延びる前記ハウジングの側壁の内面に、前記係止片の延設方向に沿って所定幅で延びていることを特徴とする。
【発明の効果】
【０００７】
本発明によれば、ハーネスに働く引抜力に対する固定力を、ハーネスの一端部と共にハウジングと一体化された定着部材により高め、ハウジングに対してハーネスを確実に固定することが可能となる。
【図面の簡単な説明】
【０００８】
【図１】本発明の一実施形態の取付構造でハーネスをハウジングに固定した状態を示す斜視図である。
【図２】図１に示す取付構造の分解斜視図である。
【図３】図２に示すハウジングの左右方向に沿った断面を示す模式図である。
【図４】図２に示すハウジングの底面図である。
【図５】図１に示す取付構造を左右方向に沿った断面で示す模式図であり、（ａ）は挿通孔の形成位置，（ｂ）は定着片の形成位置での断面を示している。
【図６】係止片と定着片との間からハウジング内に供給されたホットメルトの流れを示す模式図である。
【図７】ハーネスの引抜方向へのホットメルトの移動が規制される様子を示す模式図である。
【発明を実施するための形態】
【０００９】
以下、図面を参照して、本発明の一実施形態を説明する。
図１は、本実施形態の取付構造でハーネス４１をハウジング２に固定した状態を示すコネクタ１の斜視図である。図２は、図１に示す取付構造の分解斜視図である。図３は、ハウジング２の左右方向に沿った断面を示す模式図である。図４は、ハウジング２の底面図である。なお、以下の説明で用いる上下，前後，及び左右の各方向は説明に用いる各図に示している。この上下，前後，左右は説明のために記載したもので、実際の配置と異なってよいことはもちろんである。
【００１０】
図１，図２に示すように、コネクタ１は、ハウジング２と、端子４３に接続されたハーネス４１をハウジング２に係止するストレインリリーフ３とを備えており、端子４３に接続されたハーネス４１の一端部を端子４３と共にハウジング２に収納し、ホットメルト５で一体化して構成されている。
【００１１】
図２に示すように、ハーネス４１は、溶着基板４２の下面から先端側を突出させた端子４３に、溶着基板４２の上面で芯線を半田４４で溶着する等されて、溶着基板４２，端子４３と共にハーネスアッセンブリ４を構成している。ハーネス４１には、角筒状（この例では六角筒状）を呈したフェルール４５が外環されて装着されている。
【００１２】
図１〜図３に示すように、ハウジング２は、筒状を呈して上下方向に延びた本体２１と、本体２１の左右の側壁を左右の側方に延出させて構成された拡幅部２２と、本体２１の前壁に突設されて下方に延びた係止アーム２３とを備えて構成されている。
【００１３】
本体２１の上下方向の中央部には、下壁２１１が備えられている。下壁２１１の上面には、ハーネスアッセンブリ４の溶着基板４２が装着される被着部２１ａが形成されている。下壁２１１の下面からは、複数の端子収納室２１ｂを備えた端子収納部２１０が、略四角ブロック状を呈して下方に延びている。
【００１４】
各端子収納室２１ｂは、端子収納部２１０内を上下方向に延びて上端開口部を被着部２１ａに、下端開口部を端子収納部２１０の下面にそれぞれ開口させている。端子収納室２１ｂには、端子４３の接続対象となる端子が下端開口部から挿入される。
【００１５】
拡幅部２２は、略Ｕ字の平面形状を有しており、左側壁又は右側壁の内面を窪ませて構成された一対の収容室２２ａをそれぞれ前後方向に並べて備えている。収容室２２ａは、係止片３２が備える係止舌片３２ａを収容するためのものであり、拡幅部２２の内面に前後方向に並んで配置されている。収容室２２ａは、拡幅部２２の側壁の上下方向の中央部から下端にかけて延びている。
【００１６】
収容室２２ａの上壁は、係止片３２の係止舌片３２ａが係止する係止部２２ｂとなっている。図４に示すように、拡幅部２２の下壁には、拡幅部２２の下壁を上下方向に貫通して、収容室２２ａと拡幅部２２の下方とを連通させる連通孔２２１が設けられている。本体２１及び拡幅部２２の側壁によって、ストレインリリーフ３及びハーネスアッセンブリ４をハウジング２に収容する収容口２０が構成されている。
【００１７】
ストレインリリーフ３は、略方形の平面形状を有した天板３１と、天板３１の左右の縁部から下方に延びた一対の係止片３２と、天板３１の前縁から下方に延びた定着片３３と、天板３１の後縁から下方に延びた一対の収容片３４とを備えて構成されている。定着片３３と異なる平面形状を有した収容片３４を天板３１の後縁に設けることで、ストレインリリーフ３の向きを正確に特定することができ、ストレインリリーフ３をハウジング２に組み付ける際の誤組付の防止が図られる。
【００１８】
天板３１の左右方向の中央部には、ハーネスアッセンブリ４のハーネス４１が挿通される挿通孔３１ａが設けられている。挿通孔３１ａは、天板３１を上下方向に貫通しており、天板３１の後縁から前方に向けて延びている。
【００１９】
係止片３２の上下方向の中央部には、一対の係止舌片３２ａが前後方向に並んで配置されている。係止舌片３２ａは、係止片３２の一部を左方又は右方の係止片３２の外側に向けて屈曲させた構成を有しており、係止片３２から左方又は右方の外方に突出している。図４に示すように、係止舌片３２ａの前後方向の幅は、連通孔２２１の前後方向の幅よりも狭く設定されている。
【００２０】
図２に示すように、収容片３４は、挿通孔３１ａの左右の側方に位置する天板３１の後縁部から後方に向けて延びた後、矩形の背面形状を有して下方に延びており、係止片３２とほぼ同じ上下方向の長さを有している。定着片３３は、天板３１の前縁部から前方に向けて延びた後、略方形の正面形状を有して下方に延びており、係止片３２とほぼ同じ上下方向の長さを有している。定着片３３の左右の縁部には、それぞれ切欠部３３ａが設けられている。
【００２１】
次に、ストレインリリーフ３及びハーネスアッセンブリ４をハウジング２に組み付けて、コネクタ１にハーネス４１を固定する手順について説明する。
【００２２】
図５は、本実施形態のハーネス４１の取付構造を左右方向に沿った断面で示す模式図であり、（ａ）は挿通孔３１ａの形成位置，（ｂ）は定着片３３の形成位置での断面を示している。図６は、係止片３２と定着片３３との間からハウジング２内に供給されたホットメルト５の流れを示す模式図である。図７は、ハーネス４１の引抜方向へのホットメルト５の移動が規制される様子を示す模式図である。
【００２３】
まず、ハーネスアッセンブリ４の溶着基板４２を、図２に矢印で示すようにハウジング２の本体２１内に挿入し、下壁２１１の被着部２１ａに溶着基板４２を載置して端子４３を端子収納室２１ｂに収納する。次いで、ストレインリリーフ３の挿通孔３１ａにハーネスアッセンブリ４のハーネス４１を挿通させて、図２に矢印で示すようにハーネス４１の延伸方向（下方）にストレインリリーフ３を移動させ、ストレインリリーフ３をハウジング２に装着する。ストレインリリーフ３が下端側から本体２１内に挿入されると、係止舌片３２ａは、拡幅部２２の左壁又は右壁の内面に当接して内方に撓む。係止舌片３２ａは、係止部２２ｂと対向する位置まで下方に移動してくると、撓みを解かれて収容室２２ａ内に収納される。
【００２４】
このようにして、ストレインリリーフ３及びハーネスアッセンブリ４がハウジング２に仮組み付けされた状態となる。この状態では、ハーネスアッセンブリ４のハーネス４１に引抜力が働いて溶着基板４２が上方に移動すると、ハーネス４１に外環されたフェルール４５が挿通孔３１ａの周縁に位置する天板３１の下面に当接して、ストレインリリーフ３の上方へのハーネス４１の移動が規制される。また、係止片３２の係止舌片３２ａがハウジング２の係止部２２ｂに当接することで、ハウジング２の上方へのストレインリリーフ３の移動が規制され、フェルール４５を天板３１に係止されたハーネスアッセンブリ４のハウジング２の上方への移動も規制される。
【００２５】
次に、ストレインリリーフ３及びハーネスアッセンブリ４が仮組み付けされたハウジング２にホットメルト５を充填する。ホットメルト５は、ハウジング２とストレインリリーフ３との隙間及び挿通孔３１ａからハウジング２内に浸入し、図５に示すようにハウジング２内に充填される。この際、拡幅部２２の連通孔２２１からハウジング２内の空気が排気され、余分なホットメルト５も連通孔２２１から排出される。
【００２６】
本体２１の前端部では、定着片３３の左右の両側と本体２１との間から係止片３２と定着片３３との間を通ってハウジング２内に浸入したホットメルト５が、切欠部３３ａから定着片３３の後方に位置する被着部２１ａ側に流れ込む。例えば、図６（ａ）に示すストレインリリーフ３のように切欠部を備えない定着片３３０を備えている場合には、矢印で示すように定着片３３の左右の両側と本体２１との間からハウジング２内へのホットメルト５の浸入量を十分に得られない。しかし、図６（ｂ）に示すように切欠部３３ａを有した定着片３３を備える場合、矢印で示すように切欠部３３ａを通してハウジング２内へ十分な量のホットメルト５を浸入させることができる。
【００２７】
ホットメルト５は、ハウジング２の上端から天板３１の上面に溢れ出すまでハウジング２内に充填される。ハウジング２に充填されたホットメルト５が固化すると、ストレインリリーフ３及びハーネスアッセンブリ４がハウジング２と一体化され、ハーネス４１と一体化されたコネクタ１が完成する。
【００２８】
ホットメルト５が固化した状態では、ハーネス４１に上方への引抜力が働く等してストレインリリーフ３やハーネスアッセンブリ４がハウジング２の上方に移動しようとすると、図５に示すように、ホットメルト５が切欠部３３ａにより上方への移動を規制される。また、図７に示すように、ホットメルト５における収容室２２ａに収納された箇所が、係止部２２ｂにより上方への移動を規制される。これらにより、ホットメルト５と一体化されたストレインリリーフ３及びハーネスアッセンブリ４の上方への移動も規制される。
【００２９】
以上説明したように、本実施形態によれば、ストレインリリーフ３がハウジング２内に延出させた定着片３３が、ハウジング２に充填されたホットメルト５でハウジング２内に埋設され、ハーネス４１の一端部と共にハウジングと２一体化されていることから、ハーネス４１に働く引抜力に対する固定力を高め、ハウジング２に対してハーネス４１を確実に固定することが可能となる。また、ホットメルト５をハウジング２に充填することで、コネクタ１に防水性を持たせることが出来る。
【００３０】
しかも、定着片３３によってハーネス４１に働く引抜力に対する固定力を高められることから、ストレインリリーフ３及びハーネス４１の固定に用いるホットメルト５の量を少なく抑え、また、ハウジング２の小型化を図ることが可能となる。
【００３１】
また、本実施形態によれば、ハウジング２の収容口２０を覆う天板３１から収容口２０の側壁の内面に沿って延びた一対の係止片３２間に位置して、収容口２０の上端開口部から収容口２０の側壁の内面に沿って平板状に延びた定着片３３が、両係止片３２側に延びた一対の縁部にそれぞれ切欠部３３ａを備えている。このため、ハウジング２内に充填されたホットメルト５を、両係止片３２と定着片３３との間に設けられた間隙から切欠部３３ａを通して流通させ、ハウジング２内にまんべんなく行き渡らせることが出来る。従って、ホットメルト５による固定力を高め、ハウジング２に対してハーネス４１を確実に固定することが可能となる。
【００３２】
また、本実施形態によれば、係止片３２の延設方向に沿って延びる収容口２０の側壁の内面、つまり拡幅部２２の左側壁又は右側壁の内面に設けられた係止凹部２２ａで、ストレインリリーフ３が係止片３２から突出させた係合部材３２ａを収容し、係止部２２ｂで係合部材３２ａに係合している。このため、ハウジング２内で固化したホットメルト５を係止部２２ｂに係合させることができる。従って、ハーネス４１に働く引抜力に対する固定力を高め、ハウジング２に対してハーネス４１を確実に固定することが可能となる。
【００３３】
しかも、係止凹部２２ａ内で固化したホットメルト５によってハーネス４１に働く引抜力に対する固定力を高められることから、ストレインリリーフ３及びハーネス４１の固定に用いるホットメルト５の量を少なく抑え、また、ハウジング２の小型化を図ることが可能となる。
【００３４】
また、本実施形態によれば、拡幅部２２の左側壁又は右側壁の内面に設けられた係止凹部２２ａが、係止片３２の延設方向に沿って所定幅で延びていることから、係止片３２が備える係止舌片３２ａを係止凹部２２ａで案内し、ハウジング２に対してストレインリリーフ３を正確に位置決めすることができる。
【００３５】
なお、上記実施形態では、ハウジング２が左右の側部に拡幅部２２を備えている場合について説明したが、拡幅部２２を備えておらずに本体２１の左右の側壁に係止凹部２２ａを備えていてもよい。また、連通孔２２１は、拡幅部２２ではなく本体２１の下壁２１１に形成されていてもよい。また、定着片３３の形状は任意であり、切欠部３３ａを左右の両側に複数備えていても、一方の側部のみに備えていてもよい。また、定着片３３が前面又は後面に凹凸を備えていたり、天板３１から螺旋状に下方に延びていてもよい。
【００３６】
また、挿通孔３１ａは、必ずしも天板３１に備えられている必要はない。例えば、天板３１に挿通孔３１ａを備えずに、溶着基板４２から後方に屈曲させたハーネス４１を収容片３４間から後方に引き出す構成としてもよい。また、収容片３４の形状は、ハウジング２の突出部を収容できるのであれば任意であり、例えば、１つの平板体の下縁に凹部を設けて構成してもよい。
【００３７】
また、ストレインリリーフ３，ハーネスアッセンブリ４をハウジング２に組み付ける順序は任意であり、ストレインリリーフ３の挿通孔３１ａにハーネス４１を挿通させてからハーネスアッセンブリ４の溶着基板４２を被着部２１ａに載置してもよい。
【符号の説明】
【００３８】
１        コネクタ
２        ハウジング
２１      本体
２１ａ    被着部
２１ｂ    端子収納室
２１１    下壁
２２      拡幅部
２２ａ    収容室
２２ｂ    係止部
２２１    連通孔
２３      係止アーム
３        ストレインリリーフ
３１      天板
３１ａ    挿通孔
３２      係止片
３２ａ    係止舌片
３３      定着片
３３ａ    切欠部
３４      挿通片
４        ハーネスアッセンブリ
４１      ハーネス
４２      溶着基板
４３      端子
４４      半田
４５      フェルール
５        ホットメルト
【図１】
2011014396.tif 000003
【図２】
2011014396.tif 000004
【図３】
2011014396.tif 000005
【図４】
2011014396.tif 000006
【図５】
2011014396.tif 000007
【図６】
2011014396.tif 000008
【図７】
2011014396.tif 000009